(57)【特許請求の範囲】
【請求項１】
内周にレンズを支持するためのレンズ支持体と、
このレンズ支持体の外周に設けたコイルと、
内周側に、前記レンズ支持体を移動自在に配置した環状のヨークと、
このヨークに取り付けてあり、且つ、前記コイルと対向するように配置したマグネットと、
前記レンズ支持体を移動自在に保持する前側及び後側スプリングと、
前記ヨークの光軸方向後側に配置され、前記後側スプリングを保持するベースと、
前記ヨークの光軸方向前側に配置され、前記前側スプリングを保持するフレームと、
を備え、前記コイルに通電して生じる電磁力により、前記レンズ支持体を前記レンズの光軸方向に沿って前後に移動するレンズ駆動装置であって、
前記ヨークは、外周側壁とこの外周側壁の前端から内周に向かって伸びる連結壁とを少なくとも備え、
前記前側スプリングは、環状の板ばねであり、内周側部と、外周側部と、内周側部と外周側部とを連結する弾性変形可能な腕部と、を備え、
前記フレームは、
光軸方向後側に向いて前記ヨークに当接するヨーク当接部と、
前記ヨーク当接部よりも光軸方向前側に凹んで段違いに形成され、光軸方向後側に向いて前記前側スプリングを保持する前側スプリング保持部と、
を備え、前記ヨーク当接部及び前記前側スプリング保持部が前記光軸方向に沿って階段状を成すように当該フレームの内側に当該フレームと一体に形成され、
前記ヨーク当接部と前記前側スプリング保持部との間の段差の光軸方向の寸法は、前記前側スプリングの厚さよりも大きく、
前記前側スプリング保持部に、前記前側スプリングの前記外周側部の前側の面を接着剤で接着固定し、前記ヨーク当接部が前記ヨークの前記連結壁に当接された際には、前記前側スプリングの前記外周側部は、前記ヨークの前記連結壁との間に隙間を設けて前記フレームに保持されていることを特徴とするレンズ駆動装置。
【請求項２】
前記前側スプリングの前記外周側部の内周側端部は、前記前側スプリング保持部の内周側端部と略同位置、或いは、より内周側に位置することを特徴とする請求項１に記載のレンズ駆動装置。
【請求項３】
前記フレームは、前記前側スプリング保持部の内周側において、前記前側スプリング保持部よりも前側に凹んで段違いに形成され、前側スプリングを覆う前側部を具備していることを特徴とする請求項１又は２に記載のレンズ駆動装置。
【請求項４】
請求項１〜３のいずれか一項に記載のレンズ駆動装置を備えるオートフォーカスカメラ。
【請求項５】
請求項４に記載のオートフォーカスカメラを搭載したことを特徴とするカメラ付きモバイル端末。
【発明の詳細な説明】
【技術分野】
【０００１】
本発明は、レンズ駆動装置、オートフォーカスカメラ及びカメラ付きモバイル端末に関する。
モバイル端末とは、携帯電話、携帯情報端末（ＰＤＡ）、ノートパソコン等をいう。
【背景技術】
【０００２】
特許文献１には、ヨークと、ヨークが装着されるベースと、ベースとの間にヨークを配置するフレームと、ヨークの内周側に配置される円筒形状のレンズ支持体と、レンズ支持体の光軸方向前側の位置に配置される前側スプリングと、を備え、前側スプリングの外周部がヨークとフレームとの間に挟持固定されるレンズ駆動装置が開示されている。この特許文献１の技術によれば、前側スプリングをヨークとフレームとの間で挟持固定できる。
【先行技術文献】
【特許文献】
【０００３】
【特許文献１】特開２０１０−２１１２４２号公報
【発明の概要】
【発明が解決しようとする課題】
【０００４】
ところで、レンズ駆動装置の製造工程では、ベースにヨークを装着し、ヨークの内周側にレンズ支持体を配置し、これらの前側に前側スプリングを配置し、前側スプリングの前側からフレームを配置してから、ベース、ヨーク及びフレームを、液体状の接着剤によって固着する。このとき、液体状の接着剤が、毛細管現象により、ヨークとフレームとの間にしみ込み、これらの間に挟持されている前側スプリングまで侵入し、この侵入した状態で接着剤が硬化し、前側スプリングの性能に影響を及ぼす場合があった。
【０００５】
そこで、本発明は、レンズ駆動装置の製造工程において、前側スプリングに接着剤が侵入するのを防止できるレンズ駆動装置、オートフォーカスカメラ及びカメラ付きモバイル端末の提供を目的とする。
【課題を解決するための手段】
【０００６】
請求項１に記載の発明は、内周にレンズを支持するためのレンズ支持体と、レンズ支持体の外周に設けたコイルと、内周側にレンズ支持体を移動自在に配置した環状のヨークと、ヨークに取り付けてあり且つコイルと対向するように配置したマグネットと、レンズ支持体を移動自在に保持する前側及び後側スプリングと、ヨークの光軸方向後側に配置され後側スプリングを保持するベースと、ヨークの光軸方向前側に配置され、前側スプリングを保持するフレームと、を備え、コイルに通電して生じる電磁力によりレンズ支持体をレンズの光軸方向に沿って前後に移動するレンズ駆動装置であって、前側スプリングは、ヨークとの隙間を設けてフレームに保持されていることを特徴とする。
【０００７】
請求項２に記載の発明は、請求項１に記載の発明において、環状の板ばねであり、内周側部と、外周側部と、内周側部と外周側部とを連結する弾性変形可能な腕部と、を備え、フレームは、ヨークに当接するヨーク当接部と、ヨーク当接部よりも前側に凹んで段違いに形成され前側スプリングの外周側部を保持する前側スプリング保持部と、を備えていることを特徴とする。
【０００８】
請求項３に記載の発明は、請求項２に記載の発明において、前側スプリングの外周側部は、フレームの前側スプリング保持部に接着剤で固定されていることを特徴とする。
【０００９】
請求項４に記載の発明は、請求項１〜３のいずれか一項に記載のレンズ駆動装置を備えることを特徴とするオートフォーカスカメラである。
【００１０】
請求項５に記載の発明は、請求項４に記載のオートフォーカスカメラを搭載したことを特徴とするカメラ付き携帯電話である。
【発明の効果】
【００１１】
請求項１に記載の発明によれば、前側スプリングは、ヨークと隙間を設けてフレームに保持した。これにより、前側スプリングをヨークとフレームとの間に挟持せずに保持できるので、レンズ駆動装置の製造工程において、ベース、ヨーク及びフレームを、液体状の接着剤によって固着するときに、毛細管現象により前側スプリングに接着剤が侵入するのを防止できる。
【００１２】
請求項２に記載の発明によれば、フレームは、ヨーク当接部においてヨークに当接し、段違いに形成された前側スプリング保持部で前側スプリングの外周側部を保持する。これにより、レンズ駆動装置の製造工程において、部品数を増やすことなく、請求項１と同様の効果を奏することができる。
【００１３】
請求項３に記載の発明によれば、請求項２に記載の作用効果を奏すると共に、フレームの前側スプリング保持部に前側スプリングの外周側部を接着剤で固定したので、フレームに前側スプリングを予め組み付けてから、これらをヨークの上に配置できるので、レンズ駆動装置の製造工程において、組立作業が容易になる。
【００１４】
請求項４に記載の発明によれば、請求項１〜３のいずれか一項に記載の作用効果を奏するオートフォーカスカメラを提供できる。
【００１５】
請求項５に記載の発明によれば、請求項４に記載の作用効果を奏するカメラ付きモバイル端末を提供できる。
【図面の簡単な説明】
【００１６】
【図１】実施の形態に係るレンズ駆動装置のフレーム及び前側スプリングをベース側から視た斜視図である。
【図２】図１に示すＢ−Ｂ断面図である。
【図３】実施の形態に係るレンズ駆動装置の分解斜視図である。
【図４】図５に示すＡ−Ａ断面図である。
【図５】実施の形態に係るレンズ駆動装置の概観を示す斜視図である。
【発明を実施するための形態】
【００１７】
以下に、添付図面の図１〜図５を参照して本発明の実施の形態を詳細に説明する。図５に示す本実施の形態に係るレンズ駆動装置１は、携帯電話に組み込まれるオートフォーカスカメラのレンズ駆動装置である。
【００１８】
このレンズ駆動装置１は、図３に示すように、環状のヨーク３と、レンズ支持体５と、ヨーク３の光軸方向前側に配置される前側スプリング９と、前側スプリング９の前側に配置されるフレーム７と、ヨーク３の後側に配置されるベース８及び後側スプリング１１とを備えており、後側スプリング１１とヨーク３との間には後側スペーサ１５が配置されている。本実施の形態において、被写体側を前側、被写体側の反対側を後側とする。すなわち、フレーム７側が前側であり、ベース８側が後側である。
【００１９】
ヨーク３は前側から見て外周が平面視四角形であり、内周が平面視円形になっており、外周側壁３ａと、内周側壁３ｂと、外周側壁３ａと内周側壁３ｂとを間隔をあけて連結する連結壁３ｃとからなり、外周側壁３ａと内周側壁３ｂと連結壁３ｃとで断面がコ字形状を成している。内周側壁３ｂには、後側端から前方に向けて切除部１２が形成されている。切除部１２は周方向に等間隔をあけて配置してあり、本実施の形態では、平面視四角形状の外周側壁３ａにおいて、隣り合う角部１４間（辺の部分）に対応する位置に設けてある。
【００２０】
ヨーク３の各角部１４において、外周側壁３ａの内周面にはマグネット１３が固定されている。マグネット１３は、角部１４に設けてあり、内周側壁３ｂと対向している。
【００２１】
レンズ支持体５は略円筒形状であり、その内周部にレンズ（図示せず）が装着されて、ヨーク３の内周側を光軸方向に移動自在に設けられている。レンズ支持体５の外周には環状のコイル１９が固定されている。
【００２２】
図４に示すように、コイル１９はヨーク３の外周側壁３ａと内周側壁３ｂとの間に配置するが、マグネット１３がある角部１４ではマグネット１３と内周側壁３ｂとの間に位置し、レンズ支持体５と共にヨーク３内を前後方向に移動するようになっている。
【００２３】
図３に示すように、前側スプリング９は環状の板ばねであり、内周側部９ａと外周側部９ｂとが設けてあり、内周側部９ａはレンズ支持体５に取付けてあり、図１及び２に示すように、外周側部９ｂはヨーク３との間に隙間を設けてフレーム７に固定されている。内周側部９ａと外周側部９ｂとは弾性変形可能な腕部９ｃにより連結してある。腕部９ｃは、図３に示すように、前側から見たときにヨーク３の連結壁３ｃと重なるように配置してある。
【００２４】
図３に示すように、フレーム７は、外周が光軸方向前側から見た平面が四角形状であり、内周が円形状を成した樹脂材製である。フレーム７の外周において、各角部には、脚部７ａが立設されており、ベース８の脚部８ａと嵌合固定してある。
また、図１及び２に示すように、フレーム７は、ヨーク３に当接するヨーク当接部７ｂと、ヨーク当接部７ｂより前側に凹んで段違いに形成され前側スプリング９の外周側部９ｂを保持する前側スプリング保持部７ｃと、を備えている。前側スプリング９の外周側部９ｂは、フレーム７の前側スプリング保持部７ｃに接着剤Ｃにより点付けされて取り付けられている。
【００２５】
ヨーク当接部７ｂと前側スプリング保持部７ｃとの段差の高さは、前側スプリング９の厚さより十分に高く、ベース８、ヨーク３及びフレーム７を接着する接着剤がヨーク当接部７ｂからはみ出しても前側スプリング９には到達しない高さである。また、前側スプリング保持部７ｃの内周側の端部は、さらに前側に凹んで段差が形成されている。前側スプリング９の外周側部９ｂの端部は、前側スプリング保持部７ｃの内周側の端部と略同位置か、より内周側に位置するように形成されている。
【００２６】
図３に示すように、ベース８は、外周が光軸方向前側から見た平面が四角形状であり、内周が四角形状を成した絶縁性の樹脂材製である。ベース８の外周において、各角部には、脚部８ａが立設されており、フレーム７の脚部７ａと嵌合固定してある。ベース８の四角形状の外周面において、その一側面には、２つの金属端子３３、３５が隣りあわせに配置され、後側スプリング１１の端部が嵌合する嵌合部８ｂが形成されている。
【００２７】
後側スプリング１１は全体として環状の板ばねであるが、本実施の形態では、左右に分離した一方側部２０と他方側部２２とから構成されている。後側スプリング１１の各外周側部１１ｂの一部は、絶縁体である後側スペーサ１５と共にベース８とヨーク３との間に挟持されており、後側スペーサ１５は後側スプリング１１とヨーク３との間の電気的絶縁を図っている。各内周側部１１ａは、レンズ支持体５の後端に取付けてある。後側スプリング１１の各内周側部１１ａと外周側部１１ｂとは弾性変形可能な腕部１１ｃにより連結してある。
【００２８】
尚、図示していないが、後側スプリング１１の一方側部２０の内周側部１１ａはコイル１９の一端に接続されており、後側スプリング１１の他方側部２２の内周側部１１ａはコイル１９の他端に接続されている。
また、後側スプリング１１の一方側部２０の外周側部１１ｂは金属端子３３に接続され、他方側部２２の外周側部１１ｂは金属端子３５に接続されている。
【００２９】
次に、実施の形態に係るレンズ駆動装置１の組み立て、作用及び効果について説明する。
レンズ駆動装置１の組み立ては、まず、予め、レンズ支持体５にコイル１９を、ヨーク３にマグネット１３を、フレーム７に前側スプリング９を組み付けておく。
【００３０】
次に、ベース８に後側スプリング１１、レンズ支持体５、後側スペーサ１５、ヨーク３、フレーム７、金属端子３３，３５を組み付ける。その後、ベース８とヨーク３とフレーム７とは液体状の接着剤を塗布した後硬化させて固定する。
【００３１】
このように、組み立てた状態のレンズ駆動装置１において、レンズ支持体５に取り付けられた前側スプリング９の内周側部９ａは、フレーム７の前側スプリング保持部７ｃに取り付けられた外周側部９ｂより前側に配置されている。すなわち、組み立てた状態のレンズ駆動装置１において、前側スプリング９の外周側部９ｂは、腕部９ｃの弾性により、フレーム７の前側スプリング保持部７ｃに押し付ける方向に付勢される。
【００３２】
そして、コイル１９の一端を後側スプリング１１を構成する一方側部２０の内周側部１１ａに接着剤又ははんだで接続し、コイル１９の他端を後側スプリング１１を構成する他方側部２２の内周側部１１ａに接着剤又ははんだで接続する。
本実施の形態にかかるレンズ駆動装置１は、携帯電話に組み込まれるオートフォーカスカメラに搭載され、金属端子３３及び金属端子３５を給電端子として、その後側端部を回路基板（図示せず）の電源端子（図示せず）に、例えばはんだ付けにより接続される。
【００３３】
レンズ駆動装置１の駆動時には、基板の電源端子に接続された金属端子３３から後側スプリング１１の一方側部２０、コイル１９、後側スプリング１１の他方側部２２、回路基板の電源端子に接続された金属端子３５を通って直流電流が流れる。その際、ベース８が絶縁体製であり、金属端子３３と金属端子３５とは分離して配置してあるため、金属端子３３と金属端子３５との間でベース８を介して電流は漏れて流れない。
このようにしてコイル１９に通電すると、コイル１９に作用する電磁力で、レンズ支持体５は前側スプリング９及び後側スプリング１１の付勢力に抗して移動し、前側スプリング９、後側スプリング１１との力の釣り合う位置で停止する。
【００３４】
本発明の実施の形態によれば、前側スプリング９は、ヨーク３と隙間を設けてフレーム７に保持した。これにより、前側スプリング９をヨーク３とフレーム７との間に挟持せずに保持できるので、レンズ駆動装置１の製造工程において、ベース８、ヨーク３及びフレーム７を、液体状の接着剤によって固着するときに、毛細管現象により前側スプリング９に接着剤が侵入するのを防止できる。
【００３５】
また、フレーム７は、ヨーク当接部７ｂにおいてヨーク３に当接し、段違いに形成された前側スプリング保持部７ｃで前側スプリング９の外周側部９ｂを保持する。これにより、レンズ駆動装置１の製造工程において、ベース８、ヨーク３及びフレーム７を、液体状の接着剤によって固着するときに、液体状の接着剤がフレーム７のヨーク当接部７ｂに注入されても、段違いに形成された前側スプリング保持部７ｃには侵入しない。これにより、レンズ駆動装置１の製造工程において、部品数を増やすことなく、前側スプリング９に接着剤が侵入するのを防止できる。
【００３６】
また、フレーム７の前側スプリング保持部７ｃに前側スプリング９の外周側部９ｂを接着剤Ｃで点付けしたので、フレーム７に前側スプリング９を予め取り付けてから、これらをヨーク３の上に配置できるので、レンズ駆動装置１の製造工程において、組立作業が容易になる。
【００３７】
本発明は、上述した実施の形態に限らず、本発明の要旨を逸脱しない範囲で種々変形可能である。例えば、上述した実施の形態において、フレーム７の前側スプリング保持部７ｃに前側スプリング９の外周側部９ｂを接着剤Ｃで点付けしているが、フレーム７及び前側スプリング９を組み付けた後は、前側スプリング９は、レンズ支持体５により、フレーム７の前側スプリング保持部７ｃに押し付ける方向に付勢されるので、接着剤Ｃで点付けしないこともできる。
また、上述した実施の形態において、フレーム７においてヨーク当接部７ｂと前側スプリング保持部７ｃとに段差を設けることで、ヨーク３と前側スプリング９とに隙間を設けているが、これに限らず、フレーム７においてヨーク当接部７ｂより前側に前側スプリング９の外周側部９ｂを差込み可能な欠き込みを設け、この欠き込みに前側スプリング９の外周側部９ｂを差込み保持することで、ヨーク３と前側スプリング９とに隙間を設けてもよい。
【符号の説明】
【００３８】
１      レンズ駆動装置
３      ヨーク
５      レンズ支持体
７      フレーム
８      ベース
９      前側スプリング
１１    後側スプリング
１３    マグネット
１９    コイル
【図１】
0005936177.tif 000002
【図２】
0005936177.tif 000003
【図３】
0005936177.tif 000004
【図４】
0005936177.tif 000005
【図５】
0005936177.tif 000006